(57)【特許請求の範囲】
【請求項１】
ボイラ本体を有するタワーボイラの建造方法において、
タワーボイラの後伝部を構成する複数の伝熱管を、タワーボイラの建造現場以外の場所で仮固定具によって、前記ボイラ本体に組み付ける後伝部としての形態に並列配置する工程と、
並列配置した前記伝熱管をその状態に保持して前記建造現場に移送し、建造中のボイラ本体の下方に搬入する工程と、
搬入した前記伝熱管を、建造中のボイラ本体の下部に組み付ける工程と、
当該組み付けた前記伝熱管を吊り上げる工程とを備え、
搬入した前記伝熱管を建造中のボイラ本体の下部に組み付ける工程では、前記仮固定具で伝熱管を後伝部としての形態に並列配置した状態で行い、伝熱管をボイラ本体の下部に組み付けた後、前記仮固定具を取り外すことを特徴とするタワーボイラの建造方法。
【請求項２】
前記仮固定具は、前記伝熱管を挟持することにより並列配置された状態に保持することを特徴とする請求項１記載のタワーボイラの建造方法。
【発明の詳細な説明】
【技術分野】
【０００１】
本発明は、タワーボイラの建造方法に関する。
【背景技術】
【０００２】
従来のボイラとしては、高温ガスの対流伝熱によって流体を加熱する部分（接触伝熱面）を火炉の後側に配置したものが一般的である（例えば、特許文献１参照）。このように火炉の後側に配置された加熱部分は、一般に後部伝熱部（後伝部）と呼ばれている。
これに対してタワーボイラは、前記接触伝熱面、すなわち後部伝熱部を、火炉の上側に配置するようにしたもので、接触伝熱面が火炉の後側に配置されている従来のボイラに比べ、設置スペースが約２０％程度少なくなり、したがって据付場所の制約を受けるような場合に好適とされている。
【０００３】
このようなタワーボイラは、柱間に形成されたボイラ架構に、吊下材を介してボイラ本体が吊り下げられて支持された構造となっている。
このタワーボイラの建造において、前記ボイラ本体を建造するにあたっては、特に後伝部（後部伝熱部）はボイラ本体の高い位置に取付けられるため、その施工が難しくなっている。すなわち、後伝部の施工にあたっては、通常は後伝部を構成する伝熱管を予め工場で所定形状に曲げ加工しておき、これら伝熱管を現場に搬入する。そして、これら伝熱管を後伝部の構造に組み立てるとともに、ボイラ本体の構造内に組み付ける。
【０００４】
ところが、伝熱管の組み付け等は高所および狭隘な場所での作業となるため、作業性や安全性に問題がある。
そこで、工場等の建造現場以外の場所において伝熱管を後伝部の構造に組み立てて後伝部エレメントとし、この後伝部エレメントを施工現場に搬入してボイラ本体の構造内に組み付けることが考えられる（例えば、特許文献２参照）。
【０００５】
しかし、後伝部を構成する各エレメントは、例えば多数の伝熱管が互いに連結することなく独立してそれぞれ所定状態に配置され、最終的にハンガーチューブ等に固定されることによってボイラ本体内に組み付けられる。したがって、これら多数の伝熱管を予め組み立てて後伝部エレメントをユニット化しておくのは、このユニット（後伝部エレメント）のボイラ本体内への組み付けが終わった後、個々の伝熱管を再度独立させる必要があるため、設計上、非常に困難である。
また、たとえ後伝部エレメントをユニット化したとしても、組みあがったユニットの状態の後伝部エレメントはかなり大きくなるため、工場等から建造現場までのトラック輸送が困難である。
【０００６】
したがって、従来では、後伝部エレメントを建造現場以外の場所で組み立てて（ユニット化して）現場に輸送するといった手法を採ることができず、伝熱管を、トラックに載る範囲の形状に曲げ加工された配管の形でトラック輸送し、現場に搬入している。
すなわち、ボイラ本体の下部を空けた状態とし、この空きスペースで搬入された伝熱管を後伝部の構造（後伝部エレメント）に組み立て、その後、組みあがった構造体（後伝部エレメント）をボイラ本体の取付け位置まで吊上げ、ボイラ本体の構造内に組み付けるようにしている。
【先行技術文献】
【特許文献】
【０００７】
【特許文献１】特開２００６−１６２１３７号公報
【特許文献２】特開２００２−１１５８０４号公報
【発明の概要】
【発明が解決しようとする課題】
【０００８】
ところで、後伝部を形成するための多数の伝熱管については、前記したようにトラックに載る範囲の形状に曲げ加工した形で、トラック輸送にて建造現場に搬入している。その際、伝熱管の曲折した特殊な形状による制限から、輸送効率を高めるべく伝熱管を横に寝かせて積層した状態でトラックの荷台に載せ、現場ではそのままの状態で荷卸しする。
したがって、伝熱管をボイラ本体内に組み付ける際には、寝かされて積層された状態の伝熱管を１本１本立ち上げ、順次接続して後伝部の構造（後伝部エレメント）に組み立てなくてはならず、効率が非常に悪い工程となっていた。そのため、この工程が工期短縮を損なう一因になっており、また、作業の安全性も損なっている。
【０００９】
本発明は前記事情に鑑みてなされたもので、その目的とするところは、多数の伝熱管によって形成する後伝部を、より効率的に建造できるようにし、これによって全体の工期短縮を図るとともに、作業の安全性を高めた、タワーボイラの建造方法を提供することにある。
【課題を解決するための手段】
【００１０】
本発明のタワーボイラの建造方法は、ボイラ本体を有するタワーボイラの建造方法において、
タワーボイラの後伝部を構成する複数の伝熱管を、タワーボイラの建造現場以外の場所で仮固定具によって、前記ボイラ本体に組み付ける後伝部としての形態に並列配置する工程と、
並列配置した前記伝熱管をその状態に保持して前記建造現場に移送し、建造中のボイラ本体の下方に搬入する工程と、
搬入した前記伝熱管を、建造中のボイラ本体の下部に組み付ける工程と、を備えることを特徴とする。
【００１１】
また、前記タワーボイラの建造方法においては、搬入した前記伝熱管を、建造中のボイラ本体の下部に組み付ける工程では、前記仮固定具で伝熱管を後伝部としての形態に並列配置した状態で行い、伝熱管をボイラ本体の下部に組み付けた後、前記仮固定具を取り外すことが好ましい。
【発明の効果】
【００１２】
本発明のタワーボイラの建造方法によれば、複数の伝熱管を、建造現場以外の場所でボイラ本体に組み付ける後伝部としての形態に並列配置しておき、この並列配置した伝熱管を建造現場に移送して建造中のボイラ本体の下方に搬入し、搬入した伝熱管を、建造中のボイラ本体の下部に組み付けるようにしたので、例えば寝かされて積層された状態の伝熱管を建造現場にて１本１本立ち上げる必要がなく、搬入した伝熱管を並列配置状態そのままでボイラ本体の下部に組み付けることが可能になり、よって、作業効率が向上するとともに、作業の困難性も改善される。したがって、全体の工期短縮を図るとともに、作業の安全性を高めることができる。
【図面の簡単な説明】
【００１３】
【図１】本発明に係るタワーボイラの一例の側断面図である。
【図２】図１に示したタワーボイラのＡ−Ａ線矢視図である。
【図３】伝熱管によって構成される伝熱管パネル及び後伝部エレメントの概略構成図である。
【図４】（ａ）〜（ｃ）は、本発明の建造方法の一実施形態を説明するための工程図である。
【図５】伝熱管を並列配置して形成した後伝部エレメントの説明図であり、（ａ）は側面図、（ｂ）は要部正面図である。
【発明を実施するための形態】
【００１４】
以下、本発明のタワーボイラの建造方法の実施形態を、図面を参照して詳しく説明する。
まず、本発明のタワーボイラの建造方法によって建造されるタワーボイラの一例を、図１、図２を参照して説明する。なお、図１はタワーボイラの一例の側断面図、図２は図１に示したタワーボイラのＡ−Ａ線矢視図である。
【００１５】
図１、図２に示すようにタワーボイラには、前後側の炉壁１，２（図１参照）と左右側の炉壁３，４（図２参照）とによって水平断面形状が矩形状に形成された、ボイラ本体７が備えられている。このボイラ本体７は、上方に高く延びて形成され、その上端に天井壁６が設けられており、鉄骨８から吊下材５によって吊下げ支持されている。前後側の炉壁１，２および左右側の炉壁３，４は、上下方向に延びる平行な炉壁管９の相互間をフィン（図示せず）で接続してなる、炉壁パネルによって形成されている。
【００１６】
前記ボイラ本体７の前後側の炉壁１，２の下部位置には、複数のバーナ１１が設けられており、前記ボイラ本体７の上端後部には、排ガス出口１２が設けられている。この排ガス出口１２には、煙道１３の上端部が連通しており、該煙道１３は排ガス出口１２側から下方に延びて配置されている。
また、前記ボイラ本体７内の上下方向中間部から前記排ガス出口１２までの間には、本発明における後伝部（後部伝熱部）となる熱交換装置１４が設置されている。さらに、前記ボイラ本体７の上下方向中間部位置から上方には、前後側の炉壁１，２及び天井壁６の外部を包囲するようにして、ケーシング１５が設けられている。このケーシング１５の外周及びボイラ本体７の下部外周には、保温材１６が設けられている。
【００１７】
前記熱交換装置（後伝部）１４は、前記排ガス出口１２に近い上部位置（低温部側）に節炭器１７を配設している。該節炭器１７の下側には、低温側再熱器１８、低温側過熱器１９、高温側再熱器２０、高温側過熱器２１、及びハンガーチューブ過熱器２２が順次配設されている。
前記節炭器１７、低温側再熱器１８、低温側過熱器１９、高温側再熱器２０、高温側過熱器２１は、それぞれ、図１に示すようにボイラ本体７内を前後方向に幅全体に亘って延びるパネル状の伝熱管２３にて構成されている。このパネル状の伝熱管２３は、図２のボイラ本体７内をその左右方向に多数並列された状態で配置されている。
【００１８】
伝熱管２３は、図３に示すように、予め設計された所定のＳ字形状（図３では逆Ｓ字形状）となるように、工場で複数箇所曲げ加工されて形成されたものである。また、伝熱管２３は、それぞれが異なるＳ字形状となるように曲げ加工され、これらが同一平面上に配列されることにより、前記したようにパネル状に構成されている。すなわち、異なるＳ字形状の複数の伝熱管２３は、互いに所定間隔をおいて同一平面上に配列されて、伝熱管パネル２３Ａを形成している。
【００１９】
また、このように形成された伝熱管パネル２３Ａは、該伝熱管パネル２３Ａが形成する平面が鉛直方向に立つように配置され、さらに、これら伝熱管パネル２３Ａが所定間隔をおいて互いの面を対向させて水平方向に複数並列配置されることにより、前記の節炭器１７、低温側再熱器１８、低温側過熱器１９、高温側再熱器２０、高温側過熱器２１をそれぞれ形成している。すなわち、前記熱交換装置（後伝部）１４を構成する節炭器１７、低温側再熱器１８、低温側過熱器１９、高温側再熱器２０、高温側過熱器２１は、複数の伝熱管２３からなる伝熱管パネル２３Ａが予め設定された所定の形態に配設されたことで、形成されている。
【００２０】
ここで、これら節炭器１７、低温側再熱器１８、低温側過熱器１９、高温側再熱器２０、高温側過熱器２１は、本発明では後伝部（熱交換装置１４）の一部を構成する形態、すなわち後伝部エレメントとなっている。したがって、本発明では、例えば図３に示したような複数の伝熱管パネル２３Ａが水平方向に並列配置されてなる後伝部エレメント２３Ｂにより、節炭器１７、低温側再熱器１８、低温側過熱器１９、高温側再熱器２０、高温側過熱器２１が形成されている。
【００２１】
また、前記ハンガーチューブ過熱器２２は、上端に備えられたヘッダ２４から下方に延設された多数のハンガーチューブ２５によって形成されている。すなわち、ハンガーチューブ２５の下端が横方向に曲げられたことにより、ハンガーチューブ過熱器２２が形成されている。このハンガーチューブ過熱器２２も、前記節炭器１７、低温側再熱器１８、低温側過熱器１９、高温側再熱器２０、高温側過熱器２１と同様に、図３に示したような、複数の伝熱管パネル２３Ａが水平方向に並列配置されてなる後伝部エレメント２３Ｂによって形成されている。すなわち、ハンガーチューブ２５も伝熱管であり、したがって多数のハンガーチューブ２５によって形成されたハンガーチューブ過熱器２２も、多数の伝熱管（ハンガーチューブ２５）からなる後伝部エレメント２３Ｂによって形成されたものとなる。
【００２２】
また、ハンガーチューブ２５は、前記節炭器１７、低温側再熱器１８、低温側過熱器１９、高温側再熱器２０、高温側過熱器２１のそれぞれの伝熱管２３を吊り下げて支持するようになっている。このような構成によって前記の各伝熱管２３は、単一の後伝部エレメント２３Ｂ中では互いに連結されることなく独立した状態に配置され、ハンガーチューブ２５によってその位置が固定されるようになっている。また、各後伝部エレメント２３Ｂ間では、例えば互いに流路が連続する後伝部エレメント２３Ｂ間で、対応する伝熱管２３どうしが他の連結配管（図示せず）を介して溶接等によって接続されている。なお、必要に応じて、ハンガーチューブ２５以外の固定部材により、各後伝部エレメント２３Ｂ（伝熱管２３）を炉壁１〜４等に補助的に固定していてもよい。
【００２３】
図１に示すようにボイラ本体７の各炉壁１，２，３，４の炉壁管９の上端には、ドラムあるいはセパレータからなる気水分離装置２８が接続されている。これにより、炉壁管９内で加熱された加熱水は、気水分離装置２８によって水と蒸気に分離され、水は再びボイラ本体７の炉壁管９に戻されるようになっている。一方、気水分離装置２８で分離された蒸気は、前記ハンガーチューブ２５のヘッダ２４に導かれるようになっている。
なお、ボイラ本体７には、本例では図１中に破線で示すように熱交換装置１４の上方、すなわち節炭器１７の上方に、ガス流量調節ダンパ３２，３３が設けられている。
【００２４】
このような構成のボイラ本体７にあっては、下方から供給された給水２６が、まず、節炭器１７に供給される。そして、バーナ１１の燃焼によって発生する高温の排ガス２７によって加熱された後、給水２６はボイラ本体７の下端に供給される。そして、ボイラ本体７の前後側の炉壁１，２及び左右側の炉壁３，４の炉壁管９内を加熱されながら上昇し、上部の気水分離装置２８に供給され、ここで水と蒸気に分離される。分離された水は、再びボイラ本体７の炉壁管９に戻される。
【００２５】
一方、気水分離装置２８で分離された蒸気は、前記ヘッダ２４からハンガーチューブ２５に供給されて内部を下降し、ハンガーチューブ過熱器２２に導かれて過熱された後、低温側過熱器１９に供給され、続いて高温側過熱器２１に導かれて過熱され、高温高圧の蒸気となって高圧の蒸気タービン２９に供給される。
高圧の蒸気タービン２９から出た蒸気は、低温側再熱器１８に供給されて再熱された後、高温側再熱器２０に導かれて更に過熱され、その後、中圧あるいは低圧の蒸気タービン３０に供給されるようになっている。
【００２６】
次に、本発明の一実施形態として、前記構成のボイラ本体７を備えたタワーボイラの建造方法を説明する。
本実施形態では、まず、タワーボイラの主柱を４本建造するとともに、これら主柱間にボイラ架構を形成する。なお、図１、図２では、ボイラ架構を鉄骨８として示している。
【００２７】
次に、図４（ａ）に示すように、各主柱４０の上端にこれらを連結する天井大梁（図示せず）を配設し、該天井大梁間に大梁４１を配設し、さらに該大梁４１にジャッキ４２を設置し固定する。
次いで、ジャッキ４２に取り付けたワイヤロープ等の吊り材４３に、ボイラ本体７の構成要素を上から順に取り付けつつ、順次吊り上げていく。吊り材４３には、適宜な天秤（図示せず）を取り付け、この天秤にボイラ本体７の各構成要素を取り付けてもよい。また、天秤として、最終的に前記天井大梁間に配設する大梁４１を用いてもよい。
【００２８】
図４（ａ）では、ガス流量調節ダンパ３２、３３を吊り上げ、さらにその下に、後伝部（熱交換装置１４）の一部を構成する要素、すなわち節炭器１７、低温側再熱器１８、低温側過熱器１９等を構成する各要素、すなわち後伝部エレメント１７Ｅ〜２１Ｅを、図１に示した配置順に従って順次吊り下げている。また、本実施形態では、高温側過熱器２１の下にハンガーチューブ過熱器２２を組み付けるべく、該ハンガーチューブ過熱器２２を形成するための後伝部エレメント２２Ｅを形成する。
【００２９】
すなわち、図３に示したように複数の伝熱管２３（ハンガーチューブ２５）から伝熱管パネル２３Ａを形成し、さらにこの伝熱管パネル２３Ａを複数並列配置して、ハンガーチューブ過熱器２２としての形態の、後伝部エレメント２３Ｂ（２２Ｅ）を形成する。この後伝部エレメント２３Ｂの形成は、タワーボイラの建造現場以外の場所、例えば工場で行う。また、タワーボイラの建造現場が工場から遠い場合には、タワーボイラの建造現場に近くて広い敷地などで、後伝部エレメント２３Ｂの形成を行ってもよい。
【００３０】
その際、形成する後伝部エレメント２３Ｂは、各伝熱管２３（各伝熱管パネル２３Ａ）を、仮固定具によってボイラ本体７に組み付ける形態に並列配置させておく。すなわち、ハンガーチューブ過熱器２２となる後伝部エレメント２３Ｂ（２２Ｅ）を、その上に配置される高温側過熱器２２に組み付けられる形態に、並列配置させておく。
【００３１】
具体的には、図５（ａ）、（ｂ）に示すように鋼材等からなる底桟４５、図５（ｂ）に示すように伝熱管パネル２３Ａを個々に挟持する挟持柱４６、挟持柱４６上に設けられた梁４７、吊り部材４８、などを備えた仮固定具４４によって、高温側過熱器２２に組み付けられる形態に並列配置させられている。
【００３２】
すなわち、各伝熱管パネル２３Ａを底桟４５上に立てて配置するとともに、図５（ｂ）に示すように一対の挟持柱４６間に伝熱管パネル２３Ａを配置し、その両側を挟持柱４６で押さえ、その状態で一対の挟持柱４６間をボルト止めすることなどにより、伝熱管パネル２３Ａを一対の挟持柱４６間に固定した状態で挟持する。なお、これら挟持柱４６の対は、一つの伝熱管パネル２３Ａに対して複数配置されている。また、底桟４５上に並列配置する伝熱管パネル２３Ａの数に対応して、それぞれに複数ずつ配設されている。さらに、隣り合う各対どうし間の間隔は、ハンガーチューブ過熱器２２における各伝熱管パネル２３Ａ間の間隔に対応するように調整されている。
【００３３】
したがって、各挟持柱４６の対間にそれぞれ伝熱管パネル２３Ａを立てた状態に配置することにより、これら伝熱管パネル２３Ａは、ボイラ本体７に組み付ける後伝部としての形態、すなわち後伝部エレメント２３Ｂ（２２Ｅ）としての形態に並列配置される。なお、図５（ａ）に示すように伝熱管パネル２３Ａは、伝熱管２３のそれぞれの両端部が、仮止め材２９によって仮固定されている。
【００３４】
このようにして並列配置された多数の伝熱管２３（ハンガーチューブ２５）からなる後伝部エレメント２３Ｂ（２２Ｅ）は、並列配置された状態に保持されたままで、吊り部材４８によってトラックの荷台に積み上げられる。そして、タワーボイラの建造現場に輸送（移送）される。建造現場では、建造中のボイラ本体７が吊り上げられており、したがって後伝部エレメント２３Ｂ（２２Ｅ）は、図４（ａ）に示すようにその下方に搬入される。なお、後伝部エレメント２２Ｅ（２３Ｂ）の、ボイラ本体７の下方への搬入は、敷地が広い場合には直接トラックで行ってもよく、狭い場合には、トラックから降ろした後、仮固定具４４で並列配置された状態に固定された後伝部エレメント２２Ｅ（２３Ｂ）を、クレーン等によってボイラ本体７の下方に移送（搬入）してもよい。
【００３５】
次いで、搬入した伝熱管２３（ハンガーチューブ２５）からなる後伝部エレメント２２Ｅ（２３Ｂ）を、直上に位置する高温側過熱器２１の後伝部エレメント２１Ｅに対して位置合わせ（芯合わせ）する。すなわち、各エレメント２１Ｅ、２２Ｅの対応する部材（例えばハンガーチューブ２５）どうしが、平面視して互いに重なるように位置合わせを行う。
【００３６】
次いで、後伝部エレメント２２Ｅ（２３Ｂ）を図示しないジャッキ等によって押し上げ、図４（ｂ）に示すように搬入した後伝部エレメント２２Ｅ（２３Ｂ）と吊り下げている高温側過熱器２１の後伝部エレメント２１Ｅとの間のレベル合わせを行う。すなわち、高温側過熱器２１の後伝部エレメント２１Ｅの各部材と、搬入した後伝部エレメント２２Ｅ（２３Ｂ）の各部材（ハンガーチューブ２５）とが、互いに対応して接続されるものどうし、接続可能となるようにレベル合わせを行う。なお、ここでは、先に吊り上げている、高温側過熱器２１の後伝部エレメント２１Ｅまでのボイラ本体７の各要素（後伝部エレメント１７Ｅ〜２１Ｅ）等を、ジャッキ４２によって少し下げ、搬入した後伝部エレメント２２Ｅ（２３Ｂ）と吊り下げた高温側過熱器２１の後伝部エレメント２１Ｅとの間のレベル合わせを行うようにしてもよい。
【００３７】
その後、後伝部エレメント２１Ｅと後伝部エレメント２３Ｂ（２２Ｅ）との間を、鉛直方向に配置されたハンガーチューブ２５を介して連結するとともに、これらエレメント間の互いに対応する部材どうしを、溶接等によって接続する。
そして、このようなエレメント間の接続を終了したら、後伝部エレメント２３Ｂ（２２Ｅ）から仮固定具４４を取り外す。
その後、図４（ｃ）に示すようにジャッキ４２によってボイラ本体７の各要素（後伝部エレメント１７Ｅ〜２２Ｅ）等を吊り上げ、ボイラ本体７の残りの部分の組み立て（組み付け）を従来と同様にして行う。
【００３８】
このようなタワーボイラの建造方法にあっては、複数の伝熱管２３（ハンガーチューブ２５）を、建造現場以外の場所でボイラ本体７に組み付ける後伝部としての形態に並列配置して後伝部エレメント２２Ｅ（２３Ｂ）とし、この後伝部エレメント２２Ｅ（２３Ｂ）を建造現場に移送して建造中のボイラ本体７の下方に搬入するようにしたので、複数の伝熱管２３を前記形態に並列配置する工程を、工場等の設備が整った広い場所で行うことができ、したがって作業を効率的に、かつ安全に行うことができる。
【００３９】
また、搬入した多数の伝熱管２３からなる後伝部エレメント２３Ｂ（２２Ｅ）を、単に位置合わせした後、そのまま建造中のボイラ本体７の下部に組み付けるようにしたので、従来のように寝かされて積層された状態の伝熱管を建造現場にて１本１本立ち上げる必要がなく、搬入した後伝部エレメント２３Ｂ（２２Ｅ）の各伝熱管２３を並列配置状態そのままで、ボイラ本体７の下部に組み付けることができる。
よって、作業効率を従来に比べ格段に向上し、作業の困難性も改善することができ、したがって、全体の工期短縮を図るとともに、作業の安全性を高めることができる。
【００４０】
また、搬入した後伝部エレメント２３Ｂ（２２Ｅ）を、建造中のボイラ本体７の下部に組み付ける工程では、仮固定具４４で各伝熱管２３を後伝部としての形態に並列配置した状態で行い、各伝熱管２３をボイラ本体７の下部に組み付けた後、仮固定具４４を取り外すようにしたので、対応する伝熱管どうしの溶接等による接続の際にも、搬入した後伝部エレメント２３Ｂ（２２Ｅ）側の伝熱管２３が安定した状態に固定されているため、溶接等の作業がより容易になり、作業効率が従来に比べ格段に向上する。
【００４１】
なお、本発明は前記実施形態に限定されることなく、本発明の主旨を逸脱しない範囲で種々の変更が可能である。
例えば、前記実施形態では、ハンガーチューブ過熱器２２を形成するための伝熱管２３（ハンガーチューブ２５）を、ボイラ本体７に組み付けられてハンガーチューブ過熱器２２となる形態の後伝部エレメント２３Ｂ（２２Ｅ）に並列配置させ、この後伝部エレメント２３Ｂ（２２Ｅ）を建造現場にてボイラ本体７に組み付けるようにしたが、後伝部、すなわち熱交換装置１４の構成要素であれば、ハンガーチューブ過熱器２２以外の節炭器１７、低温側再熱器１８、低温側過熱器１９、高温側再熱器２０、高温側過熱器２１についても、同様にして後伝部エレメント２３Ｂの形態に並列配置させ、これを建造現場にてボイラ本体７に組み付けるようにしてもよい。
【符号の説明】
【００４２】
７…ボイラ本体、１４…熱交換装置（後伝部）、１７…節炭器、１８…低温側再熱器、１９…低温側過熱器、２０…高温側再熱器、２１…高温側過熱器、２２…ハンガーチューブ過熱器、２３…伝熱管、２３Ａ…伝熱管パネル、２３Ｂ…後伝部エレメント、１７Ｅ〜２２Ｅ…後伝部エレメント、４４…仮固定具
【図１】
0005862213.tif 000002
【図２】
0005862213.tif 000003
【図３】
0005862213.tif 000004
【図４】
0005862213.tif 000005
【図５】
0005862213.tif 000006